(57)【要約】【課題】  絶対座標データ生成システムとＭＦＰとの連携により、選挙やアンケート等、類似情報を多数収集して視覚化する作業をリアルタイムで自動的に行うことの出来る画像処理シムテム、画像処理方法、コンピュータプログラム、記憶媒体を提供する。【解決手段】  画像処理システムにおいて、ネットワークを介して外部からデータを受信する手段と、受信データから用紙内の既定範囲内への記入有無を判定する手段と、判定された結果を項目別にカウントする手段と、カウントされた複数のデータを既定の数式に従って集計処理する手段と、出力フォーマットを保持するための記憶手段と、前記集計手段によって生成されたデータを、前記記憶手段に記憶されている出力フォーマットに適用し出力データを生成する手段と、前記生成された出力データをプリントアウトする手段と、前記生成された出力データを指定されたネットワーク上の宛先に送信する手段とを備えることを特徴とする。【選択図】        図１
2006279722.tif 000002
【特許請求の範囲】
【請求項１】
ネットワークを介して外部からデータを受信するための受信手段と、
前記受信データから用紙内の既定範囲内への記入有無を判定するための判定手段と、
前記判定手段によって判定された結果を項目別にカウントするためのカウント手段と、
前記カウント手段によってカウントされた複数のデータを既定の数式に従って集計処理するための集計手段と、
出力フォーマットを保持するための記憶手段と、
前記集計手段によって生成されたデータを、前記記憶手段に記憶されている出力フォーマットに適用し、出力データを生成するための出力データ生成手段と、
前記出力データ生成手段によって生成された出力データをプリントアウトするための画像出力手段と、
前記出力データ生成手段によって生成された出力データを指定されたネットワーク上の宛先に送信するための送信手段と
を備えることを特徴とする画像処理システム。
【請求項２】
前記出力データを定期出力させるために、出力周期を設定するための設定手段と、
前記設定手段によって設定された時間周期に従って、前記出力データを出力するための定期出力手段と
を備えることを特徴とする請求項１に記載の画像処理システム。
【請求項３】
前記受信手段によって受信したデータから、文字を認識するための文字認識手段を備えることを特徴とする請求項１または２に記載の画像処理システム。
【請求項４】
原稿画像を読み取り、デジタル画像データに変換する画像読み取り手段と、
読み取り画像内の１つ以上の範囲を指定するためのデータを記憶する記憶手段と、
前記読み取り手段によって入力された画像データ内において、前記記憶手段に記憶されている範囲内における画像を判定するための判定手段と、
前記判定手段によって判定された結果を項目別にカウントするためのカウント手段と、
前記カウント手段によってカウントされた複数のデータを既定の数式に従って集計処理するための集計手段と、
出力フォーマットを保持するための記憶手段と、
前記集計手段によって生成されたデータを、前記記憶手段に記憶されている出力フォーマットに適用し、出力データを生成するための出力データ生成手段と、
前記出力データ生成手段によって生成された出力データをプリントアウトするための画像出力手段と、
前記出力データ生成手段によって生成された出力データを指定されたネットワーク上の宛先に送信するための送信手段と
を備えることを特徴とする請求項１から３いずれかに記載の画像処理システム。
【請求項５】
ネットワークを介して外部からデータを受信するための受信工程と、
前記受信データから用紙内の既定範囲内への記入有無を判定するための判定工程と、
前記判定工程によって判定された結果を項目別にカウントするためのカウント工程と、
前記カウント工程によってカウントされた複数のデータを既定の数式に従って集計処理するための集計工程と、
出力フォーマットを保持するための記憶工程と、
前記集計工程によって生成されたデータを、前記記憶工程に記憶されている出力フォーマットに適用し、出力データを生成するための出力データ生成工程と、
前記出力データ生成工程によって生成された出力データをプリントアウトするための画像出力工程と、
前記出力データ生成工程によって生成された出力データを指定されたネットワーク上の宛先に送信するための送信工程と
を備えることを特徴とする画像処理方法。
【請求項６】
ネットワークを介して外部からデータを受信するためのプログラムコードと、受信データから用紙内の既定範囲内への記入有無を判定するためのプログラムコードと、判定された結果を項目別にカウントするためのプログラムコードと、カウントされた複数のデータを既定の数式に従って集計処理するためのプログラムコードと、出力フォーマットを保持するための記憶ためのプログラムコードと、集計手段によって生成されたデータを、記憶されている出力フォーマットに適用し出力データを生成するためのプログラムコードと、前記生成された出力データをプリントアウトするためのプログラムコードと、前記生成された出力データを指定されたネットワーク上の宛先に送信するためのプログラムコードとを備える画像処理システムを制御することを特徴とするコンピュータプログラム。
【請求項７】
請求項６に記載のコンピュータプログラムを格納することを特徴とする記憶媒体。
【発明の詳細な説明】
【技術分野】
【０００１】
本発明は、受信データを自動的に集計し必要に応じて出力する情報処理装置に関する。特に、絶対位置情報を含むコードパターンが印刷されている用紙と専用入力装置を利用して生成されたデータをプリンタまたはデジタル複合機が受信した際の情報処理技術および画像処理技術に関し、画像処理システム、画像処理方法、コンピュータプログラム、記憶媒体に係る。
【背景技術】
【０００２】
従来から、時間と共に変化するデータの集計をコンピュータとネットワークを利用して行い、必要に応じてデータをとりまとめ、出力するシステムが構築され利用されている。例えば、大きな規模では選挙等の開票速報に利用されるシステム、電話またはインターネットで行われる投票の集計システム等が挙げられる。より小規模なものでは、店舗で行われる商品の人気投票などに代表されるさまざまなアンケートの回答を効率よくまとめるシステム等が挙げられる。
【０００３】
一方で、情報付き用紙と専用の情報読み取りデバイスを組み合わせた技術が知られている。例えば、特許文献１によれば、絶対座標をコード化したパターンが記録されている用紙上で、専用のペンをユーザが移動させると、１点または複数の絶対座標データ（ｘ、ｙ）が記録され、この記録情報がネットワークを介して中央装置で解析された結果、ユーザの筆跡情報が得られるシステムが提案されている。
【０００４】
また一方、受信したデータをある書式に従った形に整えた上でプリントアウトする帳票印刷機能を備えたプリンタ、デジタル複合機等が広く利用されている。
【特許文献１】国際公開第０１／４８５９１号パンフレット
【発明の開示】
【発明が解決しようとする課題】
【０００５】
このような情報集計システムはコンピュータを介して複雑な設定操作を行うことが前提にされており、たとえ小規模な集計を行う際にもユーザにはコンピュータ操作に関してある一定以上のスキルが必然的に求められることが多い。さらに時間によって変化するデータの集計を自動的に行うことが求められる場合はより高度な知識が必要になることもある。
【０００６】
本発明はこのような課題に鑑みてなされたものであり、情報付き用紙と専用情報読み取りデバイスによって生成されたデータをデジタル複合機またはプリンタで自動的に集計し、必要に応じてまたは定期的にユーザの望む形で出力することを可能にするシステムを提供し、簡易な操作で設定可能にする画像処理システム、画像処理方法、コンピュータプログラム、記憶媒体を提供することを目的としている。
【課題を解決するための手段】
【０００７】
前記目的を達成するため、本発明は、画像処理システムにおいて、ネットワークを介して外部からデータを受信する手段と、受信データから用紙内の既定範囲内への記入有無を判定する手段と、判定された結果を項目別にカウントする手段と、カウントされた複数のデータを既定の数式に従って集計処理する手段と、出力フォーマットを保持するための記憶手段と、前記集計手段によって生成されたデータを、前記記憶手段に記憶されている出力フォーマットに適用し出力データを生成する手段と、前記生成された出力データをプリントアウトする手段と、前記生成された出力データを指定されたネットワーク上の宛先に送信する手段とを備えることを特徴としている。
【０００８】
また、本発明は、画像処理方法において、ネットワークを介して外部からデータを受信する工程と、受信データから用紙内の既定範囲内への記入有無を判定する工程と、判定された結果を項目別にカウントする工程と、カウントされた複数のデータを既定の数式に従って集計処理する工程と、出力フォーマットを保持するための記憶工程と、前記集計工程によって生成されたデータを、前記記憶工程に記憶されている出力フォーマットに適用し出力データを生成する工程と、前記生成された出力データをプリントアウトする工程と、前記生成された出力データを指定されたネットワーク上の宛先に送信する工程とを備えることを特徴としている。
【０００９】
また、本発明は、画像処理システムを制御するためのコンピュータプログラムにおいて、ネットワークを介して外部からデータを受信するためのプログラムコードと、受信データから用紙内の既定範囲内への記入有無を判定するためのプログラムコードと、判定された結果を項目別にカウントするためのプログラムコードと、カウントされた複数のデータを既定の数式に従って集計処理するためのプログラムコードと、出力フォーマットを保持するためのプログラムコードと、生成されたデータを、記憶されている出力フォーマットに適用し出力データを生成するためのプログラムコードと、生成された出力データをプリントアウトするためのプログラムコードと、生成された出力データを指定されたネットワーク上の宛先に送信するためのプログラムコードとを備えることを特徴としている。
【発明の効果】
【００１０】
本発明によれば、用紙記入式アンケート等の複数の回答内容を自動的に集計、出力を行うことが可能となる。さらに、特殊情報付き用紙および情報読取装置による入力と、デジタル複合機またはプリンタによる情報処理および画像形成を一貫して行うシステムを実現するため、コンピュータ端末でのデータ再入力時に起きることのあった入力ミスの危険を回避できるほか、集計作業、出力設定等の設定をデバイスの操作部で簡単な操作で可能にする効果がある。
【発明を実施するための最良の形態】
【００１１】
以下、本発明の実施の形態を図面を用いて説明する。
【実施例】
【００１２】
［第１の実施形態］
以下、本発明の第１の実施形態に係わる画像処理システムについて、構成要素毎に説明する。
【００１３】
＜情報付き用紙＞
本実施例を適用するのに好適な情報付き用紙の代表的な利用例を図１に示す。
【００１４】
この利用例は、情報付き用紙１０、情報読み取りデバイス２０、通信経路３０、サーバユニット４０、絶対座標コード元情報５０、および端末６０から構成されるシステムであり、ユーザが情報付き用紙１０上をペン状の情報読み取りデバイス２０でなぞると、その軌跡を端末６０上で表示することができる。
【００１５】
情報付き用紙１０には、紙面上に２次元の絶対座標をコード化したものが全面または必要箇所に印刷されている。この絶対座標を示すコードパターンは、非常に広大な面積に相当する絶対座標をコード化した絶対座標コード元情報５０から既定の一部分を切り取って利用するものである。絶対座標コード区分５１から５５は利用者または用途別に区分けされた範囲の例を表している。絶対座標コードの印刷に使われるインクまたはトナーは、後述する情報読み取りデバイス２０内のセンサに適応する反射率特性を持ったものである。
【００１６】
情報読み取りデバイス２０は、先端に上記コードパターンを検知するための図示しないセンサと、通常のペンが備えられており、ユーザが紙面上に記入するのと全く同じ感覚で利用できるデバイスである。
【００１７】
ユーザが情報付き用紙１０上で情報読み取りデバイス２０を移動させると、１つ以上の座標点を含む情報として記録される。記録された情報は、有線または無線のネットワークである通信経路３０を介して、サーバユニット４０に対して自動的あるいは送信指示に従って伝達される。サーバユニット４０に備えられているメモリ４２には、絶対座標コード元情報５０とその区分けに関する情報、受信した座標情報を元にＣＰＵ４１が処理するためのソフトウェアが格納されている。ＣＰＵ４１はメモリ４２に格納されている情報と情報読み取りデバイス２０から受信した情報を利用してメモリ４２に格納されているソフトウェアを実行する。このソフトウェアで、座標情報のセットとして受信した用紙上にユーザが描いた軌跡をビットマップ形式あるいはベクター形式等の画像情報として扱える形式に変換し、また必要に応じて従来から知られている文字認識処理によって文字コード列を生成する。その後、処理で得られた結果を指定されたファイル形式で端末６０に送信、あるいはデータ列を端末６０で実行可能な指定のアプリケーションに送信する。
【００１８】
＜デジタル複合機制御システム構成＞
本実施例を適用するのに好適なデジタル複合機の制御システム構成を図２に示す。
【００１９】
コントローラユニット１００は画像入力装置であるスキャナ２００や画像出力装置であるプリンタ３００と接続し、一方ではＬＡＮ５００や電話回線６００と接続することで、画像情報やデバイス情報の入出力を行うためのコントローラである。
【００２０】
ＣＰＵ１０３はデジタル複合機全体を制御するコントローラとして機能する。
【００２１】
ＲＡＭ１０７はＣＰＵ１０３が動作するためのシステムワークメモリであり、画像データを一時記憶するための画像メモリとしても利用される。
【００２２】
ＲＯＭ１０８はブートＲＯＭとして利用され、デジタル複合機のブートプログラムが格納されている。
【００２３】
ＨＤＤ１０９はハードディスクドライブで、システムソフトウェア、画像データ等を格納する。このＨＤＤ１０９には、ネットワーク（ＬＡＮ５００）に接続されているノードに関する画像出力速度、設置位置などの情報がアドレスごとに保存される場合もある。また、本発明に特有な、情報付き用紙に関するデータが記憶されている。特に、絶対座標コード元情報５０に相当する情報またはその一部の情報５１〜５５と、情報付き用紙が原稿にされたときの検出ソフトウェア、情報付き用紙が原稿にされたと検出した後の処理ソフトウェアが記憶されている。さらに、情報付き用紙１０および専用の情報読み取りデバイス２０によって生成されたデータを受信したときの処理ソフトウェアが記憶されている。
【００２４】
操作部Ｉ／Ｆ１０４は操作部４００とのインターフェース部で、操作部４００に表示する画像データを操作部４００に対して出力する。また、操作部４００からユーザが入力した情報をＣＰＵ１０３に伝える役割をする。
【００２５】
ネットワークＩ／Ｆ１０５はＬＡＮ５００に接続し、情報の入出力を行う。ＭＯＤＥＭ１０６は公衆回線６００に接続し、データ送受信を行うための変調復調処理を行う。
【００２６】
以上のデバイスがシステムバス１０１上に配置される。
【００２７】
イメージバスＩ／Ｆ１１０はシステムバス１０１と画像データを高速で転送するイメージバス１０２を接続し、データ構造を変換するバスブリッジである。
【００２８】
イメージバス１０２は、ＰＣＩバスまたはＩＥＥＥ１３９４などの高速バスで構成される。
【００２９】
イメージバス１０２上には以下のデバイスが配置される。ラスターイメージプロセッサ（ＲＩＰ）１１１はＰＤＬコードをビットマップイメージに展開する。デバイスＩ／Ｆ部１１２は、画像入出力デバイスであるスキャナ２００やプリンタ３００とコントローラ１００を接続し、画像データの同期系／非同期系の変換を行う。スキャナ画像処理部７００は、入力画像データに対し補正、加工、編集を行う。プリンタ画像処理部８００は、プリント出力画像データに対して、プリンタに合わせた補正、解像度変換等を行う。画像圧縮部１１５は、多値画像データはＪＰＥＧ、２値画像データはＪＢＩＧ、ＭＭＲ、ＭＨの圧縮伸張処理を行う。
【００３０】
＜画像入力部（スキャナ）＞
画像入力部であるスキャナの概観図を図３に示す。
【００３１】
画像入力デバイスであるスキャナ部２００は、原稿となる紙上の画像を照明し、図示しないＣＣＤラインセンサを走査することで、ラスターイメージデータとして電気信号に変換する。原稿用紙は原稿フィーダ２０１のトレイ２０２にセットし、ユーザが操作部４００から読み取り起動指示することにより、コントローラＣＰＵ１０３がスキャナ２００に指示を与え、フィーダ２０１は原稿用紙を一枚ずつフィードし原稿画像の読み取り動作を行う。
【００３２】
＜画像出力部（プリンタ）＞
画像出力部であるプリンタの概観図を図４に示す。
【００３３】
画像出力デバイスであるプリンタ部３００はラスターイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動はコントローラＣＰＵ１０３からの指示によって開始する。プリンタ部３００は、異なる用紙サイズまたは異なる用紙向きを選択できるように複数の給紙段を持ち、それに対応した用紙カセット３０２，３０３，３０４，３０５が装着される。また、排紙トレイ３０６は印字し終わった用紙を受けるものである。
【００３４】
＜スキャナ画像処理部＞
スキャナ画像処理部７００の構成を図５に示す。
【００３５】
イメージバスＩ／Ｆコントローラ７０１は、イメージバス１０２と接続し、そのバスアクセスシーケンスを制御する働きと、スキャナ画像処理部７００内の各デバイスの制御及びタイミングを発生させる。パターン検出前処理部７０２は、ＣＰＵ１０３で実行される情報付き用紙検出プログラムに入力するための画像信号を生成する。この信号生成の詳細は後述する。像域分離処理部７０３は、入力画像から文字部を検出することにより、像域を判定し、その後の画像処理に利用する像域信号を生成する。テーブル処理部７０４は、読み取った輝度データをスキャナ特性を考慮して補正をするためのテーブル変換を行う。フィルタ処理部７０５は、エッジ強調などの目的に従ったデジタル空間フィルタでコンボリューション演算を行う。編集部７０６は、例えば入力画像データからマーカーペンで囲まれた閉領域を認識して、その閉領域内の画像データに対して、影つけ、網掛け、ネガポジ反転等の画像加工処理を行う。
【００３６】
処理が終了した画像データは、再び画像Ｉ／Ｆバスコントローラ７０１を介して、イメージバス１０２上に転送される。
【００３７】
＜プリンタ画像処理部＞
プリンタ画像処理部８００の構成を図６に示す。
【００３８】
イメージバスＩ／Ｆコントローラ８０１は、イメージバス１０２と接続し、そのバスアクセスシーケンスを制御する働きと、プリンタ画像処理部８００内の各デバイスの制御及びタイミングを発生させる。下地除去処理部８０２は、背景に薄い色がある原稿を読み取った画像データ等が送られてきた場合に背景色を除去する。色変換処理部８０３は、プリンタの出力特性にに合わせた色変換を行う。解像度変換部８０４は、ＬＡＮ５００あるいは電話回線６００から受信した画像データを、プリンタ３００の解像度に変換するための解像度変換を行う。スムージング処理部８０５は、解像度変換後の画像データのジャギー（斜め線等の白黒境界部に現れる画像のがさつき）を滑らかにする処理を行う。
【００３９】
＜操作部＞
図７に本実施例を適用するのに好適なデジタル複合機の操作部４００を示す。液晶操作パネル４０１は液晶にタッチパネルを組み合わせたものであり、設定内容の表示、ソフトキーの表示等がなされるものである。スタートキー４０２はコピー動作等を開始指示するためのハードキーであり、内部に緑色および赤色のＬＥＤが組み込まれており、スタート可能のときに緑色、スタート不可のときに赤色のＬＥＤが点灯する。ストップキー４０３は動作を停止させるときに使用するハードキーである。ハードキー群４０４には、テンキー、クリアキー、リセットキー、ガイドキー、ユーザモードキーが設けられている。
【００４０】
図８は、液晶操作パネル４０１に本発明に関わる拡張機能の操作を行うための画面が表示されている様子を示している。機能選択ボタン４２０から４２３によって、コピー、送信、ボックス操作、拡張機能のうち利用する機能を選択する。拡張動作一覧表示部４２４は、現在登録されている拡張動作が一覧表示される。この一覧から操作対象を選択して後述する詳細情報表示、消去、停止、出力操作を行うことも可能である。新規登録ボタン４２５を押下すると、ここでは図示しない新規に拡張動作を登録するための新たな画面が表示される。拡張動作一覧表示部４２４に表示されているものから一つ選択した状態で詳細情報ボタン４２６を押下すると、ここでは図示しない対象動作の詳細な情報が表示される。また消去ボタン４２７を押下した場合は、選択中の拡張動作を消去するための画面が表示され、確認後、対象となる拡張動作の登録情報も含めた全ての情報消去を実行する。停止ボタン４２８を押下した場合は、選択中の拡張動作を停止させるための画面が表示され、動作を停止する。また、プリントボタン４２９、送信ボタン４３０を押下すると、選択中の拡張動作に関する情報を出力するための画面が表示され、出力のための設定を行うことが可能になる。
【００４１】
＜本発明に特有なデータ集計ならびに出力処理＞
図９は本実施例で使用する変数のテーブルを示している。範囲とは情報付き用紙１０内の既定の位置を中心とする既定の範囲を順に示しており、図１０はこの範囲を既定する例を示している。各々の範囲ｉに対応した記入有無記録用配列Ｄ［ｉ］があり、例えば範囲０内に記入があると判定された場合はＤ［０］＝１が実行される。データ集計用配列Ｓ［ｉ］［ｊ］は、それぞれの範囲内に記入があったものを既定時間周期毎に累積加算していくための変数であり、相対時間ｊのときに範囲ｉへの記入があるデータを受信した数を格納する。本実施例では、図１０に示すようなアンケート用紙などに対して記入の位置が識別できれば回答の内容が規定できるフォームの用紙が好適である。
【００４２】
図１１は本実施例の処理フローを示している。回答集計処理が開始されると、まずステップＳ１１−１でデータ集計用配列Ｓ［ｉ］［ｊ］が全て０に初期化され、ステップＳ１１−２で相対時刻を示す変数ｊが０に初期化される。その後データ受付が開始され、ステップＳ１１−３のデータ集計処理が実行される。ステップＳ１１−３の詳細は後述する。ステップＳ１１−４は、この一連の処理を実施している最中に出力を指示する割り込み命令を受けたときに実施される処理であり、出力する際の画像データを生成する。この詳細も後述する。ステップＳ１１−５ではこのフォームの用紙に対する回答集計処理の終了命令の受信を監視し、終了命令を受信すると一連の処理を終了する。
【００４３】
図１２はステップＳ１１−３の詳細を示したフローチャートである。デジタル複合機が予め登録されている情報付き用紙１０および専用の情報読み取りデバイス２０で生成されたデータを受信すると、まずステップＳ１２−１でデータ集計の時間単位を進めるか否かを判断する。これは既定の時間周期でデータを集計するための処理である。ここで、時間単位を進めない場合は、ステップＳ１２−２において特許文献１等で示されているような座標を示すデータの識別処理が行われ、Ｄ［ｉ］に範囲ｉへの記入の有無を示すデータを代入する。例えば、図１０に示す用紙中の範囲０に記入がある場合、Ｄ［０］＝１の処理が行われ、範囲１に記入がなければＤ［１］＝０の処理が実施される。このとき、例えば一つの質問に対する回答が択一式のものであれば、Ｄ［０］とＤ［１］が同時に１になることを避ける排他処理等を入れ、より用途に沿った記録方式を取る場合もある。ステップＳ１２−２ではこのようにしてＤ［０］からＤ［ｉｍａｘ−１］（ｉｍａｘは既定の集計対象範囲の数）までのデータ書き込みが行われる。以上の座標識別処理が終了すると、ステップＳ１２−３に進み、変数ｉを０に初期化する。ステップＳ１２−４ではＤ［ｉ］が１か０かを判定し、１すなわち記入がある場合は、ステップＳ１２−５で累積加算用変数Ｓ［ｉ］［ｊ］をインクリメントする。その後、次の範囲を見るためにステップＳ１２−６でｉをインクリメントする。ステップＳ１２−４でＤ［ｉ］が０すなわち記入がない場合には何もせずに次の範囲のデータを見るためステップＳ１２−６に進む。ステップＳ１２−７を介してこれらの処理を登録されている数（ｉの最大値：ｉｍａｘ）繰り返し行う。ステップＳ１２−１で時間単位を進めると判定された場合はステップＳ１２−８へ進み、相対時刻を表す変数ｊをインクリメントし、その後は前述と同様の処理を行う。これらの処理が終了すると図１３に示すように、範囲毎に既定時間単位毎のデータが得られる。
【００４４】
図１４は、ステップＳ１１−４で行う、集計中のデータを出力するための画像データ生成処理のフローチャートの一例である。ステップＳ１４−１では相対時刻毎のデータを視覚化する処理を行う。即ちＳ［ｉ］［ｊ］データを使用して既定のグラフを生成するステップである。ステップＳ１４−２では生成されたグラフおよび既定のデータを使用して実際にプリンタや送信処理に出力するための画像データを生成する。
【００４５】
図１５は生成されたデータの例を示している。図１５（ａ）は、図１３に示すデータをグラフ化したものであり、図１５（ｂ）と（ｃ）は図１３に示すデータから累積加算データを作成しグラフ化した結果である。実際に出力される画像データはこれらの表やグラフを使用して、タイトル、説明等を加えた書類の形が採用されることが多いがここでは詳述しない。
【００４６】
［第２の実施形態］
ここでは、第１の実施形態に加えて、集計対象とする用紙内の範囲に関し、記入有無だけではなく、記入された文字を認識して集計する例を説明する。
【００４７】
特許文献１に記載されているように、情報付き用紙１０上を情報読み取りデバイス２０でなぞった軌跡がデータとして送信される。これを受信したＣＰＵ１０３側で、一般に使用されているＯＣＲ技術を適用し、文字データに置き換える処理を実施する。
【００４８】
図１６はある商品等に対する、人が感じる印象を表す言葉を分類した例の一部である。予めこれらの分類データを納めた辞書をＨＤＤ１０９またはＲＯＭ１０８に保持しておき、前述のＯＣＲ結果と照らし合わせてアンケート用紙等に記入された単語を解析する。この解析結果から、代表的な単語または分類に相当するものをカウントして、集計データとすることが可能である。これは、第１の実施形態に記載した、記入の有無のみを集計するものではなく、より抽象的な表現をも集計対象とすることが可能になる例である。図１７は、このようにして集計されたデータをユーザがサマリーデータとして出力されたときの例を示している。
【００４９】
［第３の実施形態］
ここまでは、データ入力が情報付き用紙１０と情報読み取りデバイス２０によって生成されたデータのみに限って説明した。ここでは、情報読み取りデバイス２０とデジタル複合機との通信が困難な場合に有効な実施形態を説明する。
【００５０】
第１の実施形態と同様のフォーマットを持つ用紙に回答した結果を回収し、スキャナ２００で読み取る。ここで読み取った画像データを基に、既定範囲内への記入の有無または記入文字の認識を行う。既定範囲は、図１８に示すように、その矩形範囲の左上と右下座標を指定することで表現される。これらのデータは図１９に示すように範囲に対する座標がテーブルの形でＨＤＤ１０９またはＲＯＭ１０８に保持されている。読み取りデータと図１９のテーブルを参照し、各原稿（記入済みのアンケート用紙）の既定範囲内への記入の有無、場合によっては既定範囲内に記入された文字の認識を実施し、そのデータを利用して第１および第２の実施例に示した集計処理を行う。集計処理への入力方法としては、このようにスキャナから読み取り解析した結果とデータ入力が情報付き用紙１０と情報読み取りデバイス２０によって生成されたデータから解析した結果が混在することも可能である。
【図面の簡単な説明】
【００５１】
【図１】本実施例を適用するのに好適な情報付き用紙の利用例を示す図
【図２】本実施例を適用するのに好適なデジタル複合機の制御システム構成を示す図
【図３】スキャナ概観図
【図４】プリンタ概観図
【図５】スキャナ画像処理部の構成を示す図
【図６】プリンタ画像処理部の構成を示す図
【図７】本実施例を適用するのに好適なデジタル複合機の操作部を示す図
【図８】図７の操作部内の液晶表示パネル表示例を示す図
【図９】第１の実施形態で扱う変数のテーブルを示す表
【図１０】第１の実施形態を適用するのに好適なフォームの例を示す図
【図１１】第１の実施形態の処理手順を示すフローチャート
【図１２】第１の実施形態の処理手順を示すフローチャート
【図１３】第１の実施形態で生成されたデータの例を示す表
【図１４】第１の実施形態の処理手順を示すフローチャート
【図１５】第１の実施形態で生成されたデータの例を示す表とグラフ
【図１６】第２の実施形態で使用される辞書の例を示す表
【図１７】第２の実施形態で出力されるデータの例を示す図
【図１８】第３の実施形態で使用する記憶データの概念図
【図１９】第３の実施形態で扱うデータテーブルを示す表
【符号の説明】
【００５２】
１０  情報付き用紙
２０  情報読み取りデバイス
１００  コントローラユニット
１０３  ＣＰＵ
１０７  ＲＡＭ
１０８  ＲＯＭ
４００  操作部
【図１】
2006279722.tif 000003
【図２】
2006279722.tif 000004
【図３】
2006279722.tif 000005
【図４】
2006279722.tif 000006
【図５】
2006279722.tif 000007
【図６】
2006279722.tif 000008
【図７】
2006279722.tif 000009
【図８】
2006279722.tif 000010
【図９】
2006279722.tif 000011
【図１０】
2006279722.tif 000012
【図１１】
2006279722.tif 000013
【図１２】
2006279722.tif 000014
【図１３】
2006279722.tif 000015
【図１４】
2006279722.tif 000016
【図１６】
2006279722.tif 000017
【図１７】
2006279722.tif 000018
【図１８】
2006279722.tif 000019
【図１９】
2006279722.tif 000020
【図１５】
2006279722.tif 000021